(57)【要約】      （修正有）【課題】放熱効率を改善した照明装置を提供する。【解決手段】照明装置は、複数の発光素子１１２が配列されたプリント回路基板１１１を有する発光モジュール１１０と、プリント回路基板が配置されたリセス１２２を有する放熱板１２０と、放熱板の上に配置されて光が出射する出射面を有する透明カバー１０１を含む。放熱板及び透明カバーは第１方向の長さが第２方向の幅より長く、透明カバーは放熱板の第２方向の一側に結合された第１結合部及び他側に結合された第２結合部を含む。放熱板は透明カバーの第１結合部に結合された第１支持部と、透明カバーの第２結合部に結合された第２支持部と、を含む。第１及び第２支持部は放熱板の上面に隣接した第１領域、第１領域から折曲された第２領域及び第２領域から内側方向に折曲された第３領域を含む。透明カバーの第１及び第２結合部は第１及び第２支持部の第１から第３領域の外側に延長された延長部を含む。【選択図】図１
2016184566.tif 000002
【特許請求の範囲】
【請求項１】
複数の発光素子及び前記複数の発光素子が配列されたプリント回路基板を有する発光モジュールと、
前記プリント回路基板が配置されたリセスを有する放熱板と、
前記放熱板の上に配置されて光が出射する出射面を有する透明カバーと、を含み、
前記放熱板及び透明カバーは第１方向の長さが第２方向の幅より長く、
透明カバーは前記放熱板の第２方向の一側に結合された第１結合部及び前記放熱板の第２方向の他側に結合された第２結合部を含み、
前記放熱板は前記透明カバーの第１結合部に結合された第１支持部と、前記透明カバーの第２結合部に結合された第２支持部と、を含み、
前記第１及び第２支持部は前記放熱板の上面に隣接した第１領域、前記第１領域から折曲された第２領域及び前記第２領域から内側方向に折曲された第３領域を含み、
前記透明カバーの第１及び第２結合部は前記第１及び第２支持部の第１乃至第３領域の外側に延長された延長部を含む照明装置。
【請求項２】
複数の発光素子及び前記複数の発光素子が第１方向に配列されたプリント回路基板を有する発光モジュールと、前記プリント回路基板が配置されたリセスを有する放熱板と、前記放熱板の上に配置されて光が出射する出射面を有する透明カバーを含む光源ユニットと、
前記光源ユニットが収納される収納溝及び前記収納溝の両側に第１及び第２サイドカバーを有するケースと、
前記ケースの収納溝の間に前記放熱板を前記ケースに固定するためのかかり部材と、
前記透明カバー及び前記ケースの第１及び第２サイドカバーの第１方向の両側に結合された第１及び第１サイドキャップと、
前記放熱板、前記透明カバー及びケースは第１方向の長さが第２方向の幅より長く、
前記放熱板は上面に隣接した第１領域、前記第１領域から切曲された第２領域、前記第２領域から内側方向に切曲された第３領域を有する支持部を含み、
前記透明カバーは前記出射面の両側から切曲されたかかり突起及び前記かかり突起から前記第１乃至第３領域の外側に結合された結合部を含む照明装置。
【請求項３】
前記放熱板の下部に結合された複数のブラケットと、
前記ブラケットに結合されたかかり突起部材と、
前記かかり突起部材に結合されたかかり溝部材と、
前記かかり溝部材を固定及び支持し、前記放熱板が収納される収納溝を有するケースと、を含む請求項１に記載の照明装置。
【請求項４】
前記透明カバー及び前記ケースの第１及び第２サイドカバーの第１方向の両側に結合された第１及び第２サイドキャップを含む請求項２又は請求項３に記載の照明装置。
【請求項５】
前記第１及び第２サイドキャップのうち少なくとも一つのサイド部に結合されるハンドルを含み、
前記ハンドルは前記第１及び第２サイドキャップのうち少なくとも一つを前記ケースの第１又は第２サイドカバーに結合する請求項４に記載の照明装置。
【請求項６】
前記ハンドルは前記第１及び第２サイドキャップのサイド部のうちいずれか一つに結合され分離される請求項５に記載の照明装置。
【請求項７】
前記ハンドルは本体から突出された取っ手、本体の下に配置された結合突起、前記本体から所定間隔に突出された着脱突起を具備し、
前記第１及び第２サイドキャップのうち少なくとも一つのサイド部には前記ハンドルの本体が収納される凹部、前記凹部に前記ハンドルの結合突起が結合された結合溝、前記着脱突起が挿入される孔を具備し、
前記ケースには前記ハンドルの着脱突起が挿入された孔を有する請求項６に記載の照明装置。
【請求項８】
前記第１及び第２サイドキャップの両サイド部のうち少なくとも一つにフック突起及び前記ケースの第１及び第２サイドカバーにフック溝を有する請求項４乃至請求項７のうちいずれか一項に記載の照明装置。
【請求項９】
前記かかり突起部材は下部に行くほど広い幅を有するかかり突起を具備し、
前記かかり溝部材は前記ケースの収納溝の底に固定されたベース、前記ベースから前記放熱板の方向に突出された第１及び第２ガイド突起、前記第１及び第２ガイド突起の間にかかり溝を含む請求項２乃至請求項８のうちいずれか一項に記載の照明装置。
【請求項１０】
前記第１ガイド突起には前記かかり溝の方向に突出された加圧突起及び前記第２ガイド突起を貫通する締結部材を具備し、
前記かかり突起部材のかかり突起は前記加圧突起及び前記締結部材にかかって固定される請求項９に記載の照明装置。
【請求項１１】
前記放熱板の下部に第１方向に配置されたガイドレールと、前記ガイドレールの所定位置に結合された電源供給部と、を含む請求項１乃至請求項１０のうちいずれか一項に記載の照明装置。
【請求項１２】
前記ケースは収納溝の底及び側面部のうち少なくとも一つの互いに異なる領域に電源供給部から発生した熱を放熱する複数の放熱孔を具備する請求項１１に記載の照明装置。
【請求項１３】
前記透明カバーの第１方向の長さは前記放熱板の第１方向の長さより長く配置される請求項２乃至請求項９のうちいずれか一項に記載の照明装置。
【請求項１４】
前記透明カバーの出射面から切曲されたかかり突起は前記ケースの収納溝の側面部から切曲されたかかり突起の上に配置される請求項１３に記載の照明装置。
【請求項１５】
前記放熱板は前記リセスの底に前記プリント回路基板の両側面及び上面の外側に配置された側壁突起を具備する請求項１乃至請求項１４のうちいずれか一項に記載の照明装置。
【請求項１６】
前記プリント回路基板の上に反射シートを具備する請求項１４又は請求項１５に記載の照明装置。
【請求項１７】
前記第１及び第２サイドキャップにはケーブル引出又は引入のための孔を有する請求項４乃至請求項８のうちいずれか一項に記載の照明装置。
【請求項１８】
前記放熱板のリセスの底又は前記底の反対側の面には凸凹構造を具備する請求項１乃至請求項１７のうちいずれか一項に記載の照明装置。
【請求項１９】
前記複数のブラケットの間の間隔は下記は前記放熱板の第１方向の長さの１／２以上離隔される請求項３に記載の照明装置。
【請求項２０】
前記放熱板はアルミニウム材質を含み、
前記透明カバーは第１方向の長さが前記第２方向の長さより５倍以上長い長さを有する請求項２乃至請求項８のうちいずれか一項に記載の照明装置。
【発明の詳細な説明】
【技術分野】
【０００１】
実施例は、光源ユニット及びそれを具備した照明装置に関するものである。
【背景技術】
【０００２】
発光ダイオード（ＬＥＤ）は電気エネルギーを光に変換する半導体素子の一種である。発光ダイオードは蛍光灯、白熱灯など従来の光源に比べ消費電力、半永久的寿命、速い応答速度、安定性、環境にやさしいなどの長所を有する。それに従来の在来型光源を発光ダイオードに代替するための多くの研究が進められており、発光ダイオードは室内又は屋外で使用される各種灯器具の照明装置の光源として使用が増加している傾向にある。
【発明の概要】
【発明が解決しようとする課題】
【０００３】
実施例は、新しい光源ユニットを提供する。
【０００４】
実施例は、放熱効率を改善した光源ユニットを提供する。
【０００５】
実施例は、透明カバーの長さ方向のオープン領域を改善した光源ユニット及びそれを具備した照明装置を提供する。
【０００６】
実施例は、放熱板及びケースの結合を改善した照明装置を提供する。
【０００７】
実施例は、透明カバー及びケースの外側を保護するサイドキャップに少なくとも一つの着脱手段を有する照明装置を提供する。
【課題を解決するための手段】
【０００８】
実施例による照明装置は、複数の発光素子及び前記複数の発光素子が配列されたプリント回路基板を有する発光モジュールと、前記プリント回路基板が配置されたリセスを有する放熱板と、前記放熱板の上に配置されて光が出射する出射面を有する透明カバーと、を含み、前記放熱板及び透明カバーは第１方向の長さが第２方向の幅より長く、透明カバーは前記放熱板の第２方向の一側に結合された第１結合部及び前記放熱板の第２方向の他側に結合された第２結合部を含み、前記放熱板は前記透明カバーの第１結合部に結合された第１支持部と、前記透明カバーの第２結合部に結合された第２支持部と、を含み、前記第１及び第２支持部は前記放熱板の上面に隣接した第１領域、前記第１領域から折曲された第２領域及び前記第２領域から内側方向に折曲された第３領域を含み、前記透明カバーの第１及び第２結合部は前記第１及び第２支持部の第１乃至第３領域の外側に延長された延長部を含む。
【０００９】
実施例による照明装置は、複数の発光素子及び前記複数の発光素子が第１方向に配列されたプリント回路基板を有する発光モジュール、前記プリント回路基板が配置されたリセスを有する放熱板及び前記放熱板の上に配置されて出射面を有する透明カバーを含む光源ユニットと、前記光源ユニットが収納される溝及び前記収納溝の両側に第１及び第２サイドカバーを有するケースと、前記ケースの収納溝の間に前記放熱板を前記ケースに固定するためのかかり部材と、前記透明カバー及び前記ケースの第１及び第２サイドカバーの第１方向の両側に結合された第１及び第２サイドキャップと、前記放熱板、前記透明カバー及びケースは第１方向の長さが第２方向の幅より長く、前記放熱板は上面に隣接した第１領域、前記第１領域から折曲された第３領域を有する支持部と、を含み、前記透明カバーは前記出射面の両側から折曲されたかかり突起及び前記かかり突起から前記第１乃至第３領域の外側に結合された結合部を含む。
【発明の効果】
【００１０】
実施例は、発光モジュールの下に配置された放熱板の材質によって放熱効率を改善する。
【００１１】
実施例は、互いに異なる大きさのケースに同じ光源ユニットを適用する効果がある。
【００１２】
実施例は、光源ユニット及びケースの外側をサイドキャップで支持することで脱去を防止し流動を減らす。
【００１３】
実施例は、サイドキャップのオープン領域に光が出射するようにする。
【００１４】
実施例は、ケースと光源ユニットの固定構造を単純化及び軽量化する。
【００１５】
実施例は、電源供給部を望みの位置に設置するようにすることで他の構造物との干渉を減らす。
【００１６】
実施例は、ケースに電源供給部から発生した熱を防止するための放熱孔を提供して照明装置の寿命減少を防止する。
【図面の簡単な説明】
【００１７】
【図１】実施例による照明装置の分解斜視図である。
【図２】図１の光源ユニット部分の斜視図である。
【図３】図１の放熱板にブラケット及びかかり突起部材の結合例を示す断面図である。
【図４】図１の放熱板の下部における電源供給部の移動可能状態を示す図である。
【図５】実施例による照明装置における電源供給部の固定例を示す図である。
【図６】図５の放熱板に電源供給部が結合された構造を示す図である。
【図７】実施例による照明装置における透明カバーと放熱板が結合する前の図である。
【図８】図７の透明カバーと放熱板の結合断面図である。
【図９】実施例による照明装置における光源ユニットとケースの分解斜視図である。
【図１０】実施例による証明装置における放熱板とケースのかかり部材を示す斜視図である。
【図１１】図１０の照明装置におけるかかり突起部材とかかり溝部材の分解斜視図である。
【図１２】図１１の照明装置において、かかり突起部材とかかり溝部材の結合斜視図である。
【図１３】図１０の放熱板を有する光源ユニットとケースの結合状態を示す側断面図である。
【図１４】実施例による照明装置における光源ユニットとケースが結合する前の状態を示す図である。
【図１５】実施例による照明装置における光源ユニットと他のケースが結合する前の状態を示す図である。
【図１６】実施例による照明装置の斜視図である。
【図１７】実施例による照明装置におけるケースの背面図である。
【図１８】図１６のケース及び光源ユニットの外側におけるサイドキャップの結合状態を示す図である。
【図１９】図１８のサイドキャップの斜視図である。
【図２０】図１９のサイドキャップの正面図である。
【図２１】実施例によるサイドキャップとハンドルの分解斜視図である。
【図２２】図２１のハンドルがサイドキャップとケースに結合された状態を示す側断面図である。
【図２３】図２１のハンドルのオープン状態を示す図である。
【図２４】図２３のハンドルがオープン状態である際のケースの内部状態を示す図である。
【図２５】図２１のハンドルのクローズ状態を示す図である。
【図２６】図２４のハンドルがクローズ状態である際のケースの内部状態を示す図である。
【図２７】実施例による照明装置の動作状態を示す側断面図である。
【図２８】（ａ）ケースの締結位置による電源供給部の移動例を示す図である。（ｂ）ケースの締結位置による電源供給部の移動例を示す図である。
【図２９】図２８のケースに締結されるボルトの種類別締結例を示す図である。
【図３０】図２８のケースに締結されるボルトの種類別締結例を示す図である。
【図３１】実施例による照明装置の他の例であって、サイドキャップに複数のハンドルが配置された例を示す斜視図である。
【発明を実施するための形態】
【００１８】
以下、添付した図面を参照して実施例による放熱構造を有する光源ユニット又は照明装置の好ましい実施例を添付した図面を参照して説明する。後述する用語は本実施例における機能を考慮して定義された用語であって、これはユーザ、運用者の意図又は慣例に応じて異なり得る。よって、このような用語に関する定義は本明細書全般にわたる内容に基づいて下されるべきである。また、下記実施例は本発明の権利範囲を限定するものではなく単に例として提示するものであり、本技術思想を介して具現される多様な実施例が存在し得る。
【００１９】
以下、本発明の好ましい実施例を添付した図面を参照してより詳細に説明する。一方、本明細書で使用される「光源ユニット又は照明装置」という用語はキッチン、リビング、学校及び図書館のような室内で使用される照明であるか屋外駐車場で使用される照明や各種ランプ、各種灯器具、ヘッドライトと類似した機器を通称する用語として使用されることを予め明らかにする。
【００２０】
図１は実施例による照明装置の分解斜視図であり、図２は図１の光源ユニット部分の斜視図であり、図３は図１の放熱板にブラケット及びかかり突起部材の結合例を示す断面図であり、図４は図１の放熱板の下部における電源供給部の移動可能状態を示す図であり、図５は電源供給部の固定例を示す図であり、図６は図５の放熱板に電源供給部が結合された構造を示す図であり、図７は透明カバーと放熱板が結合する前の図であり、図８は図７の透明カバーと放熱板の結合断面図であり、図９は光源ユニットとケースの分解斜視図である。
【００２１】
図１乃至図９を参照すると、照明装置は光を出射するカバー１０１、光を発光する発光モジュール１１０、前記発光モジュール１１０の下に配置されて前記透明カバー１０１が結合された放熱板１２０、前記放熱板１２０が収納される収納溝１４１を有するケース１４０及び前記ケース１４０に前記透明カバー１０１を固定するサイドキャップ１７１，１７３を含む。
【００２２】
前記放熱板１２０と前記ケース１４０の間の領域にはかかり部材及び電源供給部１９０を具備する。
【００２３】
前記放熱板１２０と前記ケース１４０との間の領域にはかかり部材及び電源供給部１９０を具備する。
【００２４】
前記照明装置は室内灯のような照明用灯器具として使用されるが、例えば天井に装着された灯器具である。このような照明装置は透明カバー１０１の前方向が光の照射方向となり、ケース１４０が天井のような固定対象物に装着される。照明装置は第１１方向（Ｘ）を長さ方向又は長手方向と定義し、第２方向（Ｙ）を幅方向又は短手方向と定義する。
【００２５】
前記透明カバー１０１は透明な樹脂材質、例えばシリコン又はエポキシのような材質であるか、ガラス又はＰＭＭＡ（ｐｏｌｙｍｅｔｈｙｌ  ｍｅｔｈａｃｒｙｌａｔｅ）のようなアクリル樹脂系列、ＰＥＴ（ｐｏｌｙｅｔｈｙｌｅｎｅ  ｔｅｒｅｐｈｔｈａｌａｔｅ）、ＰＣ（ｐｏｌｙ  ｃａｒｂｏｎａｔｅ）、ＣＯＣ（ｃｙｃｌｏｏｌｅｆｉｎ  ｃｏｐｏｌｙｍｅｒ）及びＰＥＮ（ｐｏｌｙｅｔｈｙｌｅｎｅ  ｎａｐｈｔａｌａｔｅ）樹脂のうち少なくとも一つを含む。前記透明カバー１０１内には拡散剤や蛍光体が添加されてもよいが、それについては限定しない。前記透明カバー１０１は膨らんだ球面を有するレンズ又はレンズカバーである。
【００２６】
前記透明カバー１０１は第１方向（Ｘ）の長さが第２方向（Ｙ）の幅より２倍以上、例えば５倍以上の長さを有する。
【００２７】
前記透明カバー１０１は側断面が半円状を有し、長さ方向に沿って配置された前記放熱板１２０の上に配置される。
【００２８】
前記発光モジュール１１０はプリント回路基板１１１及び前記プリント回路基板１１１の上に配置された発光素子１１２を含む。
【００２９】
前記プリント回路基板１１１は樹脂材質ＰＣＢ、メタルコアＰＣＢ（ＭＣＰＣＢ，Ｍｅｔａｌ  Ｃｏｒｅ  ＰＣＢ）、軟性ＰＣＢ（ＦＰＣＢ，Ｆｌｅｘｉｂｌｅ  ＰＣＢ）のうち少なくとも一つを含み、例えば放熱のためにメタルコアＰＣＢとして提供されるが、前記メタルコアＰＣＢは上部に回路パターン層、下部に金属層、前記金属層と回路パターン層の間に絶縁層が配置される。前記プリント回路基板１１１内にはＡＣモジュールを具備し、ＡＣ電源又はＤＣ電源モードに選択的に使用する。前記プリント回路基板１１１上の他端にはコネクタ（図示せず）が配置され、このようなコネクタを介して電源ケーブルが連結される。
【００３０】
前記プリント回路基板１１１は前記放熱板１２０の上に一つに配置されるか２つ又は３つ以上に配列されるが、それについては限定しない。
【００３１】
前記発光素子１１２はＬＥＤチップであるか、前記ＬＥＤチップをパッケージングしたＬＥＤパッケージである。前記発光素子１１２は前記プリント回路基板１１１の上に第１方向（Ｘ）に１列又は２列以上に配置されるが、それについては限定しない。前記発光素子１１２は紫外線ＬＥＤ、青色ＬＥＤ、白色ＬＥＤ、緑色ＬＥＤ、赤色ＬＥＤのうち少なくとも一つを含むが、それについては限定しない。前記発光素子１１２は赤色、緑色、青色及び白色のうち少なくとも一つ又は複数の光を選択的に発光するが、それについては限定しない。
【００３２】
前記放熱板１２０は図２のように第２方向（Ｙ）又は長さ方向に沿って凹んで配置されたリセス１２２、前記リセス１２２の周縁に反射面２５、前記リセス１２２の底で前記長さ方向に沿って互いに向かい合うように配置された複数の側壁突起２１，２２を含む。
【００３３】
前記リセス１２２の底の幅は前記プリント回路基板１１１の幅より広く配置され、前記プリント回路基板１１１は前記複数の側壁突起２１，２２の間のを介して差し込まれて結合される。前記複数の側壁突起２１，２２は前記プリント回路基板１１１の両側面及び上面外側に配置され、幅方向の両側と前記プリント回路基板１１１が光軸方向（Ｚ）に離脱することを防止する。前記プリント回路基板１１１は別途の締結部材（図示せず）や接着部材を介して放熱板１２０の上に締結される。
【００３４】
前記複数の側壁突起２１，２２は下部間隔が前記プリント回路基板１１１の幅より広く、上部間隔が前記プリント回路基板１１１の幅より狭く配置される。ここで、前記側壁突起２１，２２の上部は前記プリント回路基板１１１の内側方向に折曲された突出部２３を具備する。
【００３５】
前記プリント回路基板１１１の上には前記複数の発光素子１１２の領域が開放された反射シート（図示せず）が結合される。このような反射シートは入射する光を効果的に反射する。
【００３６】
前記放熱板１２０の反射面２５は前記リセス１２２の底から直角より大きい鈍角の角度で配置され、このような反射面２５は前記発光素子１１２から放出された光を透明カバー１０１の方向に反射する。
【００３７】
前記放熱板１２０のリセス１２２の一端又は両端には前記プリント回路基板１１１の離脱を防止するクリップ１１３が結合されるが、それについては限定しない。前記クリップ１１３は前記プリント回路基板１１１の外側上面と前記放熱板１２０の一端の下面の間を固定する。それによって、プリント回路基板１１１を放熱板１２０に固定するための接着剤を除去する。前記クリップ１１３はプリント回路基板１２０上のコネクタ（図示せず）が配置される領域の反対側に位置する。
【００３８】
前記放熱板１２０は熱伝導性が高い金属、例えばアルミニウム又はアルミニウム合金で形成される。前記アルミニウム合金である場合、前記アルミニウムとＳｉ，Ｍｇ，Ｚｎ，Ｂｉ，Ｓｎ金属のうちから選択された少なくとも一つを含む合金で形成される。前記アルミニウム合金はアルミニウムの含量が他の金属の含量より多い。前記放熱板１２０は洞、鉄、銀、ニッケルのうち少なくとも一つ又は選択的な２つ以上の合金である。このような放熱板１２０は発光素子１１２から放出された光を放熱する。前記放熱板１２０の熱伝導率は０．２Ｗ／ｍｋ以上で厚さは０．４ｍｍ以上であるが、それについては限定しない。
【００３９】
前記放熱板１２０は支持部１２５，１２５Ａを含み、支持部１２５，１２５Ａは前記放熱板１２０の幅方向の両側で長さ方向に長く配置される。
【００４０】
前記支持部１２５，１２５Ａは幅方向の両側で多段折曲された構造を有する。前記支持部１２５，１２５Ａは放熱板１２０の上面２６より低く段差を成すか上面に隣接した第１領域１２４と、前記第１領域１２４から垂直方向又は／及び光軸方向に折曲された第２領域１２６と、前記第２領域から水平方向又は／及び内側方向に折曲された第３領域１２８を含む。前記第１領域１２４は上面２６から傾斜した構造であるか階段型構造である。前記第３領域１２８は前記第１領域１２４と互いに向かい合う位置に配置され、反射面２５の領域と垂直方向にオーバーラップするように配置される。第３領域１２８は前記第１領域１２４よりは広い幅を有し、内側が前記リセス１２２の底とオーバーラップ（ｏｖｅｒｌａｐ）する位置まで延長される。
【００４１】
このような支持部１２５，１２５Ａの外側には図７のように透明カバー１０１の結合部１０５，１０５Ａが結合される。前記結合部１０５，１０５Ａは前記透明カバー１０１の両外側の下で長さ方向に沿って配置される。前記支持部１２５，１２５Ａは放熱板１２０の幅方向又は第２方向の一側の下に第１支持部１２５及び他側の下に第２支持部１２５Ａを含む。前記第１及び第２支持部１２５，１２５Ａは前記放熱板１２０の両側の下で第１方向に沿って長く延長される。
【００４２】
前記結合部１０５，１０５Ａは透明カバー１０１の幅方向又は第２方向の一側の下に第１結合部１０５及び他側の下に第２結合部１０５Ａを含む。前記第１及び第２結合部１０５，１０５Ａは前記透明カバー１０１の両側の下で第１方向に沿って長く延長される。
【００４３】
図７及び図８のように、前記透明カバー１０１の第１及び第２結合部１０５，１０５Ａは第１乃至第３延長部１０４，１０６，１０８を含む。前記第２延長部１０６は透明カバー１０１の両側から垂直下方向に延長され、第１及び第３延長部１０４，１０８は前記第２延長部１０６の上端及び下端から水平に内側方向に延長される。前記第１及び第３延長部１０４，１０８は平行に配置される。前記第１結合部１０５の第２延長部１０６と第２結合部１０６Ａの第２延長部１０６は互いに平行に配置される。
【００４４】
前記透明カバー１０１の第１乃至第３延長部１０４，１０６，１０８は前記第１及び第２支持部１２５，１２５Ａの第１乃至第３領域１２４，１２６，１２８の外側に差し込まれて結合される。それによって、透明カバー１０１の第１及び第２結合部１０５，１０５Ａは前記放熱板１２０の第１及び第２支持部１２５，１２５Ａにそれぞれ結合される。このような前記透明カバー１０１は離脱が防止される。
【００４５】
前記放熱板１２０は前記第１及び第２支持部１２５，１２５Ａの間の領域に収納空間１３２を提供する。前記収納空間１３２は複数のガイドリブ１２７及びガイド溝２８を含み、前記ガイド溝２９は複数のガイドリブ２７の間に配置される。前記ガイドリブ２７及びガイド溝２８は前記プリント回路基板１１１の反対側の領域に配置される。前記ガイド溝２８は前記複数の発行素子１１２の配列方向に沿って配列される。このようなガイドリブ２７は放熱表面積を広げる。
【００４６】
前記放熱板１２０のガイドリブ２７の両側には保護パッド（図示せず）が配置され、前記保護パッドがガイドリブ（ｒｉｂ）２７の表面粗さから電源ケーブル（図示せず）を保護する。
【００４７】
ここで、図４乃至図６を参照すると、放熱板１２０の下には電源供給部１９０が結合され、前記電源供給部１９０は前記ガイドリブ２７，２８に沿って前記放熱板１２０の長さ方向に沿って左右に移動Ｍ１する。前記電源供給部１９０は前記放熱板１２０に結合されたブラケット２１１，２１３の間の領域内で任意の位置に移動Ｍ１する。そして、図５及び図６のように、締結手段９１を利用して前記電源供給部１９０をガイド溝２８に締結及び固定する。
【００４８】
図１及び図３を参照すると、前記放熱板１２０の下には複数のブラケット（ｂｒａｃｋｅｔ）２１１，２１３が結合されるが、前記ブラケット２１１，２１３は締結手段９１によって前記第１及び第２支持部１２５，１２５Ａに締結される。前記締結手段９１はねじ、リベット、接着又ははんだ付け部材を含むが、それについては限定しない。
【００４９】
図８のように、前記ブラケット２１１，２１３は前記第１及び第２支持部１２５，１２５Ａの第３領域の内側の下に配置される。この場合、前記ブラケット２１１，２１３は前記第１及び第２支持部１２５，１２５Ａの第３領域１２８の下で透明カバー１０１の第１及び第２結合部１０５，１０５Ａの第３延長部１０８に隣接する。
【００５０】
図４のように、前記放熱板１２０の下、即ち発光モジュールの反対側に配置された複数のブラケット２１１，２１３の間の間隔Ｄ１は前記放熱板１２０の長さＤ２の１／２以上に離隔される。前記各ブラケット２１１，２１３は前記放熱板１２０の外側に近く配置されるか、図１に示したサイドキャップ１７１，１７３に近く配置される。前記ブラケット２１１，２３１は放熱板１２０に一体に形成されてもよいが、この場合には別途に設置しなくてもよい。
【００５１】
図１及び図９のように、ケース１４０は収納溝１４１の底１４２及び側面部１４３，１４４と、前記側面部１４３，１４４から所定角度に切曲されたかかり突起１４５，１４６と、前記かかり突起１４５，１４６から鈍角以上に切曲されたサイドカバー１５１，１５２を含む。
【００５２】
前記収納溝１４１の底１４２及び側面部１４３，１４４のうち少なくとも一つに複数の放熱孔１４３Ａを具備する。例えば、前記放熱孔１４３Ａは電源供給部１９０の外側、例えば両側面部１４３，１４４の互いに異なる領域にそれぞれ配置され、電源供給部１９０の設置位置に応じて放熱効率を改善する。
【００５３】
前記かかり突起１４５，１４６は前記側面部１４３，１４４から傾斜した面を提供し、放熱板１２０の上部外側に配置される。前記かかり突起１４５，１４６は透明カバー１０１の出射面１０２の両側に配置されたかかり突起１０３，１０３Ａの下に配置される。
【００５４】
前記放熱板１２０と前記ケース１４０との間の領域にはかかり部材５０，５５，６０，６５が結合される。前記かかり部材５０，５５，６０，６５は前記放熱板１２０を前記ケース１４０に固定するための構造である。前記かかり部材５０，５５，６０，６５は図１、図７乃至図１０のようにかかり突起部材５０，６０及びかかり溝部材５５，６５を含む。前記かかり部材はブラケット２１１，２１３を更に含む。前記かかり突起部材５０，６０は前記かかり溝部材５５，６５に結合される。前記かかり突起部材５０，６０は放熱板１２０及びケース１４０のうちいずれか一つに結合され、前記かかり溝部材５５，５は他の一つに結合される。
【００５５】
実施例を説明するために、かかり突起部材５０，６０は放熱板１２０に結合、例えばブラケット２１１，２１３に結合された例として説明し、前記かかり溝部材５５，６５は前記ケース１４０に結合された例として説明する。
【００５６】
前記かかり突起部材５０，６０は複数個が各ブラケット２１１，２１３に締結手段９１として締結される。前記複数のかかり突起部材５０，６０の間の間隔は前記ブラケット２１１，２１３の間の間隔と同じであるかより広い。
【００５７】
図１１乃至図１３のように、前記かかり突起部材５０，６０は締結孔５１Ａ，５１Ｂを有する第１ベース５１及び前記第１ベース５１からかかり溝部材５５，６５方向に突出されたかかり突起５２を含む。
【００５８】
前記第１ベース５１は締結孔５１Ａ，５１Ｂを介して前記ブラケット２１１，２１３に締結手段として締結及び固定され、前記かかり突起５２はケース１４０方向に突出される。前記かかり突起５２は前記第１ベース５１から遠くなるほど幅が次第に広くなる。このようなかかり突起５２はかかり溝部材５５，５６に隣接するほど広い幅を有するため、かかり構造物として提供される。
【００５９】
前記かかり溝部材５５，５６は締結孔５６Ａ，５６Ｂを有する第２ベース５６、前記第２ベース５６から放熱板１２０方向に突出された複数のガイド突起５７，５９、前記複数のガイド突起５７，５９の間に突起溝５８を含む。前記第２ベース５６は締結孔５６Ａ，５６Ｂを介して前記ケース１４０に締結手段９１によって締結され、前記複数のガイド突起５７，５９は前記かかり突起５２の挿入深さを制限し、前記突起溝５８には前記かかり突起部材５０，６０のかかり突起５２が挿入される。
【００６０】
前記かかり溝５８の幅Ｄ３は前記かかり突起５２の下部幅よりは広いが、それについては限定しない。前記かかり突起部材５０，６０及び前記かかり溝部材５５，６５は金属材質であるか非金属材質であってもよいが、それについては限定しない。
【００６１】
前記かかり溝部材５５，６５の複数のガイド突起５７，５９は前記かかり突起５２の下部両側を加圧する。例えば、複数のガイド突起のうち第１ガイド突起５７は加圧突起５７Ａを具備し、前記加圧突起５７Ａは弾性を有する球状のボール（ｂａｌｌ）又は球状のベアリングを具備し、前記加圧突起５７Ａは第１ガイド突起５７から前記突起溝５８のセンター方向に突出される。前記複数のガイド突起のうち第２ガイド突起５９は内部に締結部材５９Ａを具備するが、前記締結部材５９Ａは所定方向に回転する場合には前記締結部材５９Ａが回転し、その端部は前記突起溝５８のセンター方向に突出され、反対側に回転する場合には前記突起溝５８の反対側に移動する。
【００６２】
それによって、前記第１ガイド突起５７の加圧突起５７Ａ及び前記第２ガイド突起５９の締結部材５９Ａによって前記突起溝５８に挿入されるかかり突起部材５０，６０のかかり突起５２のセンター両側を加圧して支持するようになる。この際、前記かかり突起５２の下部はより広い構造を有しているため、前記かかり突起５２が上方向、例えば放熱板１２０の方向に離脱することを防止する。他の例として、前記かかり突起５２の両側センター領域には前記加圧突起５７Ａ及び締結部材５９Ａに対応する位置に孔や段差構造を提供してもよいが、このような構造は前記かかり突起５２を効果的に支持して離脱を防止する。
【００６３】
図１３のように、前記放熱板１２０の複数のブラケット２１１，２１３に結合された複数のかかり突起５２はケース１４０に結合されたかかり溝部材５５，５６のかかり溝５８に挿入され、第１及び第２ガイド突起５７，５９の加圧突起５７Ａ及び締結部材５９Ａにかかって支持される。それによって、放熱板１２０は互いに異なる領域でケース１４０にかかり部材で結合される。
【００６４】
前記ケース１４０の両サイドカバー１５１，１５２には側壁１５８及び底部１５９が延長され、前記側壁１５８は光軸方向に垂直に配置され、前記サイドカバー１５１，１５２の下端エッジから延長されて保護する。前記底部１５９は前記側壁１５８から内側に水平に延長されるか切曲され、ケース１４０の内部空間を保護する。
【００６５】
図１４に示したケース１４０と図１５に示したケース１４０の底の幅Ｘ１，Ｘ２は互いに異なり、ケース１４０の収納溝１４１は同じ大きさに提供される。
光源ユニット１００は銀発光モジュール１１０、放熱板１２０を有するか、透明カバー１０１を更に含む。前記光源ユニット１００は互いに異なる幅Ｘ１，Ｘ２を有するケース１４０の収納溝１４１に共用に利用される。これは、ケース１４０の収納溝１４１の幅Ｄ１１及び高さＤ１２を同じく、即ち誤差範囲内同じく提供することで、前記ケース１４０の底の幅に関係なく収納溝１４１に光源ユニット１００が結合される。
【００６６】
図１４のように、前記ケース１４０が底の幅Ｘ１を有する場合、サイドカバー１５１，１５２の内角θ１は水平な底に対して４０乃至５５度範囲の角度に配置される。図１５のように、前記ケース１４０が底の幅Ｘ１より広い底の幅Ｘ２を有する場合、サイドカバー１５１，１５２の内角θ１１は２５乃至３５度範囲である。前記底の幅Ｘ１は１３０ｍｍ乃至２００ｍｍの範囲であり、前記底の幅Ｘ２は２００ｍｍ乃至２６０ｍｍ範囲にある。これは一つのサイズの光源ユニット１００を多様なサイズのケース１４０に適用可能にする。このようなケース１４０は金属材質で形成されてもよいが、例えば板ばね材質で具現される。
【００６７】
ここで、図８のように透明カバー１０１は半円状の出射面１０２が長さ方向に長く配置され、前記出射面１０２と前記第１及び第２結合部１０５，１０５Ａの間に連結されたかかり突起１０３，１０３Ａを含む。前記透明カバー１０１のかかり突起１０３，１０３Ａは前記出射面１０２の両端から放熱板１２０に向かって斜線方向に延長されるか切曲される。前記透明カバー１０１のかかり突起１０３，１０３Ａは出射面１０２の外側エッジ、即ち長さ方向の両側エッジ部分より内側に配置される。
【００６８】
前記かかり突起１０３，１０３Ａは第１及び第２結合部１０５，１０５Ａの第２延長部１０６に対して９１乃至１７９度の範囲、例えば１２０乃至１６０度範囲の角度θ３に配置される。このようなかかり突起１０３，１０３Ａが前記透明カバー１０１の両側に傾斜して配置されることで、前記放熱板１２０が前記ケース１４０の収納溝１４１に結合される際、前記透明カバー１０１の挿入を制限する。また、前記透明カバー１０１のかかり突起１０３，１０３Ａは前記出射面１０２から切曲されることで、出射面１０２ではない領域を介して光が損失されることを防止する。
【００６９】
前記透明カバー１０１のかかり突起１０３，１０３Ａの切曲部分Ｐ１は前記かかり突起１０３，１０３Ａに対面するケース１４０のかかり突起１４５，１４６からサイドカバー１５１，１５２に切曲される部分Ｐ２よりは上に配置される。このような透明カバー１０１の傾斜したかかり突起１０３，１０３Ａはケース１４０の収納溝１４１内、例えば傾斜したかかり突起１４５，１４６に接触する。前記透明カバー１０１の領域はサイドカバー１５１，１５２とかかり突起１４５，１４６の間の切曲される部分Ｐ２より内側領域に配置される。
【００７０】
ここで前記かかり突起１０３，１０３Ａの水平な延長線と前記出射面１０２の切曲部分の水平な延長線の間の角度θ２は４０乃至１２０度の範囲に存在する。このようなかかり突起１０３，１０３Ａと前記出射面１０２の間の領域は光の経路を変更することで、透明カバー１０１の内側領域１０２Ａに進行する光抽出効率を改善する。
【００７１】
前記透明カバー１０１の出射面１０２は前記放熱板１０２のリセス１２２の底から１５ｍｍ以上、例えば２０ｍｍ以上の高さＴ１に離隔され、４０ｍｍ以上、例えば４５ｍｍ以上の曲率半径を有する。このような透明カバー１０１を有する光源ユニット１００は互いに異なる底幅を有するケース１４０に共用に適用可能であるため、使用効率を改善する。
【００７２】
図１６は実施例による照明装置の斜視図であり、図１７は図１６の照明装置の背面図である。
【００７３】
図１６及び図１７を参照すると、ケース１４０には光源ユニット１００が結合される。前記ケース１４０の長さ方向Ｙの両側にはサイドキャップ１７１，１７３が結合される。即ち、前記サイドキャップ１７１，１７３は前記光源ユニット１００及び前記ケース１４０の外側に結合される。前記サイドキャップ１７１，１７３は前記ケース１４０及び光源ユニット１００の透明カバー１０１をカバーし、前記透明カバー１０１が光軸方向（Ｚ）に離脱することを防止する。実施例は光源ユニット１００及びケース１４０の外側をサイドキャップ１７１，１７３に支持することで、光源ユニット１００を脱居を防止し流動を減らす。
【００７４】
前記サイドキャップ１７１，１７３のうち少なくとも一つ又は全てにはハンドル１８０が結合されるが、ハンドル１８０はユーザの操作によってサイドキャップ１７１，１７３を結合又は分離する。前記ハンドル１８０はノブ（Ｋｎｏｂ）スイッチである。
【００７５】
前記サイドキャップ１７１，１７３は前記透明カバー１０１及びケース１４０の外側の形状に沿って形成されるが、それについては限定しない。このような前記サイドキャップ１７１，１７３は互いに反対側に配置された第１及び第２サイドキャップとして定義される。
【００７６】
図１７を参照数と、ケース１４０の底、例えば収納溝の底には多様な締結部材のための孔１６２，１６３，１６４及びケーブルのための孔１６１を提供する。例えば、アンカー（ａｎｃｈｏｒ）部材のための複数の孔１６４がセンターの両側に配置され、レースウェイ（ｒａｃｅｗａｙ）用複数の孔１６２がセンターの両側に配置され、複数のケーブル孔１５１、ねじ締結用孔１６３が互いに異なる領域に配置される。実施例は多様な締結部材用孔、例えばアンカー部材用孔１６４、レースウェイ用孔１６２、ねじ締結用孔１６３を種類別に提供することで、少なくとも一種類の締結部材を利用してケース１４０を天井のような固定対象物に締結する。
【００７７】
図１７及び図２９のように、アンカー及びボルトを有する締結部材９６がケース１４０の収納溝１４１の底に配置された孔１６４を介して締結される。
【００７８】
図１７及び図３０のように、レースウェイ及びボルトを有する締結部材９７がケース１４０の収納溝１４１の底に配置された孔１６２を介して締結される。
【００７９】
サイドキャップ１７１，１７３の結合構造について図１８乃至図２７を参照すると、前記サイドキャップ１７１，１７３はケース１４０のサイドカバー１５１，１５２上に結合される第１及び第２サイド部７１，７３と、前記透明カバー１０１上に配置された光源カバー７５と、前記第１及び第２サイド部７１，７３及び光源カバー７５を支持するバックカバー７４を含む。
【００８０】
図１８乃至図２０のように、前記サイドキャップ１７１，１７３の第１及び第２サイド部７１，７３は前記ケース１４０のサイドカバー１５１，５１２と同じ長さを有し、前記サイドカバー１５１，１５２の外側の表面をカバーする。前記光源カバー７５は透明カバー７５の表面上に前記透明カバー７５の出射面の曲率と同じ曲率を有してカバーする。
【００８１】
ここで、光源カバー７５の内側領域はオープン領域７５Ａであって、透明カバー１０１の両側端部をオープンする。図１９のように、前記光源カバー７５の厚さＤ５は前記第１及び第２サイド部７１，７３の厚さＤ４よりは狭く配置され、前記オープン領域７５Ａの深さＤ６より小さい。このような透明カバー１０１のオープン領域が増加することで、光抽出領域が減少することを最小化することができる。それによって、前記透明カバー１０１の長さは前記放熱板１４０の長さより長く提供される。
【００８２】
前記サイドキャップ１７１，１７３の第１及び第２サイド部７１，７３の下端部には側壁７８が更に配置され、前記ケース１４０のサイドカバー１５１，１５２の側壁１５８を保護する。
【００８３】
前記サイドキャップ１７１，１７３のバックカバー１７４には隣接した照明装置との連結のためのケーブル引出又は引入孔１７７が提供されてもよいが、それについては制限しない。
【００８４】
前記第１及び第２サイドキャップ１７１，１７３のうちいずれか一つ又は全てはフック突起１７９を利用してケース１４０に固定される。例えば、図２４のように第１及び第２サイドキャップ１７１，１７３の第２サイド部７３の内側にはフック突起１７９が配置され、前記フック突起１７９は前記第１及び第２サイドキャップ１７１，１７３が結合される際、ケース１４０の第２サイドカバー１５２の突起孔５２を介して結合される。
【００８５】
図１７及び図１８のように、前記第１及び第２サイドキャップ１７１，１７３のうち少なくとも一つには第１及び第２サイド部７１，７３のうち少なくとも一つにハンドル（ｈａｎｄｌｅ）１８０が結合される。前記ハンドル１８０は前記フック突起１７９が形成されないサイド部、例えば第１サイド部７１又は第２サイド部７３に結合される。ここで、ハンドル１８及びフック突起１７９は第１及び第２サイドキャップ１７１，１７３の互いに異なるサイド部に配置されるか同じサイド部に配置されてもよいが、それについては限定しない。
【００８６】
前記ハンドル１８０は前記第１及び第２サイドキャップ１７１，１７３のうち少なくとも一つを介してケース１４０に結合され分離される。前記第１及び第２サイドキャップ１７１，１７３のうち少なくとも一つはハンドル１８０によってケース１４０に固定又は分離される。例えば、第１及び第２サイドキャップ１７１，１７３のうちいずれか一つ又は全てはハンドル１８０でケース１４０に固定又は分離される。
【００８７】
前記ハンドル１８０はプラスチックのような樹脂材質であるか金属材質であってもよいが、それについては限定しない。
【００８８】
図１９のように、第１及び第２サイドカバー１７１，１７３の第１サイド部７１にはオープン表示部８９を介してユーザにハンドル１８０のオープン状態を提供する。
【００８９】
図２１及び図２２を参照すると、前記ハンドル１８０は本体１８２の上に取っ手１８１、前記本体１８２の下に結合突起１８４、前記本体１８２の下部に前記ケース１４０に結合される着脱突起１８５を含む。
【００９０】
前記ハンドル１８０の本体１８２は円状、楕円状又は多角形状を含む。前記取っ手１８１は一字型で前記本体１８２のセンター領域から突出され手もよく、他の形態、例えば十字型又はＴの字の形状であってもよいが、それについては限定しない。
【００９１】
前記本体１８２の下面１８３は球面状を有し、サイドキャップ１７１，１７３の凹部８１に安着され、前記本体１８２の回転をガイドする。
【００９２】
前記本体１８２の結合突起１８４はサイドキャップ１７１，１７３の凹部８１に配置された結合溝８４に結合されるが、この際、前記ハンドル１８０はサイドキャップ１７１，１７３をクローズした状態になる。
【００９３】
前記本体１８２の結合突起１８４は一つ又は複数個であってもよいが、例えば複数個の結合突起１８４は着脱突起１８５と対面する両端にそれぞれ配置され、前記結合溝８４も複数に配置される。
【００９４】
図２１乃至図２６のように、前記ハンドル１８０の着脱突起１８５は前記サイドキャップ１７１，１７３の着脱溝８５及びケース１４０の孔１５５に差し込まれた後、前記ハンドル１８０を操作すれば前記着脱突起１８５が回転し、前記結合突起１８４がサイドキャップ１７１，１７３の結合溝８４に差し込まれるようになる。それによって、前記ハンドル８１０は前記サイドカップ１７１，１７３を前記ケース１４０に固定する。
【００９５】
ここで、前記着脱突起１８５の上面は上に膨らんだ曲面１８５Ａを提供し、回転の際に前記ケース１４０の第１サイドカバー１５２と前記第１サイドキャップ１７１，１７３の第２サイド部７３を密着する。
【００９６】
このようなハンドル１８０は第１及び第２サイドキャップ１７１，１７３のうち一つ又は全てに結合されるが、例えば第１サイドキャップ１７１，１７３に結合される。
【００９７】
この際、前記第１及び第２サイドキャップ１７１，１７３のフック突起１７９は前記ケース１４０の第２サイドカバー１５２のフック溝４２と結合される。
【００９８】
図２３及び図２４は、ハンドル１８０がオープン状態である際のハンドル１８０の着脱突起１８５及びフック突起１７９が結合した状態を示す図である。
【００９９】
図２５及び図２６は、ハンドルがクロール状態である際、ハンドル１８０の着脱突起１８５が回転してケース１４０の第１サイドカバー１５１内にかかった状態に配置され、フック突起１７９が結合した状態である。
【０１００】
図２７のように、光源ユニット１００及びケース１４０にサイドキャップ１７１，１７３が結合されることで、発光モジュール１１０から発生した光は前記透明カバー１０１を介して放出される。この際、サイドキャップ１７１，１７３の光源カバー７５と透明カバー１０１がオーバーラップする区間Ｔ２は３ｍｍ以上、例えば３ｍｍ乃至７ｍｍ範囲であり、前記範囲を逸脱すると透明カバー１０１を支持することができないか光損失が大きくなる。
【０１０１】
図２８を参照すると、前記レースウェイ又はアンカー部材を天井に固定する際、前記レースウェイ又はアンカー部材の位置に応じて電源供給部１９０を移動Ｍ２，Ｍ３する。
【０１０２】
図２９は、前記ケース１４０の収納溝１４１の底に配置されたアンカー部材用孔を介してアンカー部材９６を締結した状態を示し、図３０はレースウェイ９７を孔１６２を介して締結した構造である。
【０１０３】
図３１は、実施例による照明装置の他の例であって、サイドキャップに複数のハンドルが配置された例を示す斜視図である。
【０１０４】
図３１を参照すると、照明装置はケース１４０及び透明カバー１０１の両端にサイドキャップ１７１，１７３が結合され、前記サイドキャップ１７１，１７３それぞれは前記ケース１４の両サイドカバー（図１３の１５１，１５３）に結合されるハンドル１８０がそれぞれ結合される。前記各サイドキャップ１７１，１７３に複数のハンドル１８０が配置されることで、サイドキャップ１７１，１７３の分離又は結合の際に便利に作業することができる。前記ハンドル１８０の結合は図２１及び図２２の説明を参照する。
【０１０５】
他の例として、各サイドキャップ１７１，１７３にはハンドルなしに複数のフック突起を具備してケースに結合してもよい。それによって、照明装置の製造コスト及び作業工程を減らすことができる。
【０１０６】
これまで実施例に説明した特徴、構造、効果などは本発明の少なくとも一つの実施例に含まれるが、必ずしも一つの実施例に限定されることはない。なお、各実施例で例示された特徴、構造、効果などは実施例が属する分野の通常の知識を有する者によって他の実施例についても組み合わせ又は変形されて実施されてもよい。よって、このような組み合わせと変形に関する内容は本発明の範囲に含まれると解析されるべきである。
【０１０７】
また、これまで実施例を中心に説明したがこれは単なる例示に過ぎないものであって本発明を限定されるものではなく、本発明の属する分野の通常における知識を有するものであれば本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれるものとして解析されるべきである。
【符号の説明】
【０１０８】
５０，６０   かかり突起部材
５５，６５   かかり溝部材
１００       光源ユニット
１０１       透明カバー
１１０       発光モジュール
１１１       プリント回路基板
１１２       発光素子
１４０       ケース
１５１，１５２      サイドカバー
１７１，１７３      サイドキャップ
１８０       ハンドル
１９０       電源供給部
２１１，２１３      ブラケット
【図１】
2016184566.tif 000003
【図２】
2016184566.tif 000004
【図３】
2016184566.tif 000005
【図４】
2016184566.tif 000006
【図５】
2016184566.tif 000007
【図６】
2016184566.tif 000008
【図７】
2016184566.tif 000009
【図８】
2016184566.tif 000010
【図９】
2016184566.tif 000011
【図１０】
2016184566.tif 000012
【図１１】
2016184566.tif 000013
【図１２】
2016184566.tif 000014
【図１３】
2016184566.tif 000015
【図１４】
2016184566.tif 000016
【図１５】
2016184566.tif 000017
【図１６】
2016184566.tif 000018
【図１７】
2016184566.tif 000019
【図１８】
2016184566.tif 000020
【図１９】
2016184566.tif 000021
【図２０】
2016184566.tif 000022
【図２１】
2016184566.tif 000023
【図２２】
2016184566.tif 000024
【図２３】
2016184566.tif 000025
【図２４】
2016184566.tif 000026
【図２５】
2016184566.tif 000027
【図２６】
2016184566.tif 000028
【図２７】
2016184566.tif 000029
【図２８】
2016184566.tif 000030
【図２９】
2016184566.tif 000031
【図３０】
2016184566.tif 000032
【図３１】
2016184566.tif 000033